(57)【要約】処置されるべき解剖学的領域に、磁気治療を波操形治療と同時に提供し、機械的および／または磁気相互作用を経由して波操作周波数を送達する磁気−波操作治療デバイス。磁石に連結されたトランスデューサーは、携帯磁気−波操作治療デバイスのアプリケーター−ワンド内で、音響周波数電気信号を機械的振動に変換する。解剖学的領域を処置するために、このアプリケーター−ワンドは回転され得るか、または特定のパターンを通って移動され得る。このアプリケーター−ワンドの適用表面は、処置されるべき解剖学的身体部分との最大接触を可能にする輪郭であり得る。この適用表面から外に延びる磁場はまた、身体中の組織と相互作用し、そしてまたこのデバイスと身体との間の物理的接触なしに波操作振動を送達する。
2006513762.tif 000002
【特許請求の範囲】
【請求項１】
磁気治療および波操形治療の両方を提供するためのデバイスであって：
磁場を提供する磁石；および
種々の選択可能な音周波数で電気的信号を提供する中央演算ユニット；および
該電気的信号を該周波数で機械的振動に変換する、該中央演算ユニットに連結されたトランスデューサーを備え；そして
該トランスデューサーが該磁石に連結され；それによって、該磁石が処置されるべき組織に近接して配置され、そして該トランスデューサーによって振動されるとき、磁気治療と波操形治療の同時付与が生じる、デバイス。
【請求項２】
ワンド様アプリケーターをさらに備え、前記磁石およびトランスデューサーが前記アプリケーター中に収容される、請求項１に記載のデバイス。
【請求項３】
前記ワンド様アプリケーターが、非磁性材料を含む、請求項２に記載のデバイス。
【請求項４】
前記デバイスが携帯可能である、請求項３に記載のデバイス。
【請求項５】
磁気治療および波操形治療の両方を提供するための携帯デバイスであって：
第１の側面および端部、該第１の側面上の開口および該端部にあるより小さな開口を有するプラスチックケーシング；
選択可能な音周波数で電気的信号を提供する中央演算ユニット；
該電気的信号に応答し、かつ該周波数で機械的振動を生成し、該プラスチックケーシング内に収容され、かつ該中央演算ユニットに柔軟に連結されるトランスデューサー；
該トランスデューサーと該プラスチックケーシングの第１の側面上の開口との間に永久的に位置決めされている強力磁性磁石；
該開口に近接して配置され、そして該磁石と接触する適用表面を備え：
それによって、該トランスデューサーによって生成された機械的振動が、該周波数で該磁石および適用表面を振動させる、デバイス。
【請求項６】
前記適用表面が可撓性である、請求項５に記載のデバイス。
【請求項７】
前記磁石が、ネオジム、サマリウムコバルト、フェライト、アルニコおよびそれらの組み合わせからなる群から選択される、請求項６に記載のデバイス。
【請求項８】
前記プラスチックケーシングが、処置されるべき選択された身体部分に対応する輪郭形状をさらに備える、請求項６に記載のデバイス。
【請求項９】
哺乳動物の身体部分に磁気−波操形治療を行う方法であって；処置されるべき身体部分に近接して磁石を位置決めし、そして該位置決めされた磁石を第１の周波数で有効な時間振動する工程；および該第１の周波数で機械的に振動される第１の周波数で該位置決めされた磁石を振動し、磁気治療および波操形治療の同時適用を提供する工程を包含する、方法。
【請求項１０】
前記哺乳動物がヒトである、請求項９に記載の方法。
【請求項１１】
前記磁石を振動する工程が、中央演算ユニットおよびトランスデューサーを提供することであって、該中央演算ユニットが、複数の波操形周波数に対応する複数の電気的信号出力を有する工程、該中央演算ユニットを、前記電気的信号を前記波操形周波数で機械的振動に変換し得るトランスデューサーに連結する工程、該トランスデューサーを前記磁石に連結する工程、および該電気的信号の出力の選択された１つを選択し、そしてそれによって、該選択された電気的信号に対応する周波数で該磁石を振動する工程をさらに包含する、請求項９に記載の方法。
【請求項１２】
前記磁石およびトランスデューサーを、ワンド様アプリケーターに収容する工程さらに包含する、請求項９に記載の方法。
【請求項１３】
前記ワンド様アプリケーターに開口を提供し、そして該開口の上に前記磁石に緊密に隣接する可撓性適用表面を配置する工程をさらに包含する、請求項１２に記載の方法。
【請求項１４】
前記適用表面を、前記身体部分の皮膚と接触して配置する工程をさらに包含する、請求項１３に記載の方法。
【発明の詳細な説明】
【技術分野】
【０００１】
発明者：Ｖｉｎｃｅｎｔ  ＡＲＤＩＺＺＯＮＥ（Ｐｏｒｔ  Ｊｅｆｆｅｒｓｏｎ、Ｎ．Ｙ．）
（発明の背景）
１．分野
本発明は、処置されるべき解剖学的領域に磁気処置を波操形処置（ｃｙｍａｔｉｃ  ｔｈｅｒａｐｙ）と同時に付与することが意図される処置デバイスに関する。
【背景技術】
【０００２】
２．技術の状態
特定の病気を処置するために波操形振動（ｃｙｍａｔｉｃ  ｖｉｂｒａｔｉｏｎ）を送達し、そして状態を弱らせるデバイスの治療的使用が知られている。波操形処置は、身体中のすべての細胞が、それ自身の特定の可聴周波数で共鳴する電磁場によって包まれているという原理に基づく。数年かけて、約８５０の波操形周波数（ｃｙｍａｔｉｃ  ｆｒｅｑｕｅｎｃｙ）が発見されている。身体が良好であるとき、これらの周波数は、定常かつ一定であるが、任意の機能障害または疾患は、身体の調和を不調にし、そして次に影響された領域は、共鳴を離れた周波数を生成する。波操形処置は、健常細胞の周波数と同一の周波数を生成することを目的とする。この目的は、上記細胞が自然にふるまい、それによって治癒プロセスを支援し、そして身体を良好な健康および調和に回復することを試みていることを支持することである。
【０００３】
種々の状態を処置することで磁場の治療的使用もまた周知である。背中、脚、腕などのようなヒトおよび動物の解剖学の領域に磁場を付与する有益な効果は、広く知られ、そして記載されている。磁場は、組織における炎症の減少、および痛みの軽減のような治療目的のために一般に用いられている。どのように磁気治療が作用するのかは完全には明瞭ではないが、血液流れ、そしてそれ故、酸素運搬能力を増加し、骨へのまたは骨からのカルシウムイオンの移動を変更し、種々の体液のｐＨバランスを改変し、内分泌腺からのホルモン産生を改変し、そして酵素活性おびヒト身体のその他の生化学的プロセスを改変することが見出されている。
【０００４】
腰の筋肉のような解剖学的領域に磁気治療を付与し、循環およびこのような筋肉を増大する多くの治療デバイスが利用可能である。実際、磁気治療を、振動マッサージ、熱、赤外線、もしくは音、またはそれらの組み合わせと組み合わせる多くの治療デバイスが知られている。米国特許第６，３８３，１２９号において、Ａｒｄｉｚｚｏｎｅは、磁気治療を赤外線治療と組み合わせる磁気治療デバイスを開示している。米国特許第６，２３１，４９７号において、Ｓｏｕｄｅｒは、動的磁場を振動マッサージと組み合わせる磁気治療デバイスを開示している。米国特許第６，１８２，３１３号において、Ｅｓｃｈｅｎｂａｃｋは、頭部クレードル中の音響システムを磁場と組み合わせる磁気治療頭部クレードル装置を開示している。米国特許第４，１７７，７９６号において、Ｆｒａｎｃｏ−Ｖｉｌａは、身体の種々の領域に、電磁交互方向エネルギー、熱、および振動エネルギーを同時に付与し、関節炎の痛みおよび症状を減少またはなくする磁気熱振動デバイスを開示している。
【発明の開示】
【発明が解決しようとする課題】
【０００５】
これらの種々の先行技術のデバイスは、磁気治療を、振動、熱および音と組み合わせて付与するが、磁場を波操形振動と組み合わせて付与する先行技術デバイスはない。磁気治療および波操形治療の両者は、各々、影響された領域を処置するために用いられているが、本発明の単一の治療デバイスにより送達される２つの治療の組み合わせは、使用者にさらなる有益な影響を提供する。なぜなら、処置された領域は、特定の症状を処置するための細胞共鳴を再確立するための波操形治療、および血流を促進するための磁気刺激の両方を受けるからである。波操形周波数は、機械的振動によって、および細胞自身の電磁場と誘導的に連結することによる振動する磁場によっての両方で送達される。波操形振動の磁場とのこの新規の組み合わせは、全身の大部分の領域の上に簡便に付与され得る優れたモードの治療を提供する。
【課題を解決するための手段】
【０００６】
（発明の目的および要旨）
従って、本発明の目的は、強力磁石、および、複数の周波数の振動を、オペレーターの要求に従って、同時または交互に発生するトランスデューサーを提供することによる波操形治療を用いる組み合わせ治療による組織の治療処置のための改良されたデバイスを提供することである。
【０００７】
本発明のなお別の目的は、使用者に簡便であり、そして身体への直接的な機械的連結を必要としない一体型および統合携帯デバイスに磁気治療および波操形治療を組み合わせることである。
【０００８】
本発明は、身体に直接または近接して適用される波打つワンドの使用により、波操形および磁気治療を同時に付与するための治療デバイスおよびプロセスに関する。
【０００９】
広範には、本発明の１つの局面は、人の身体の治療処置のための装置に関し、可撓性の適用表面をもつワンド様アプリケーター、波操形音周波数を機械的振動に変換するトランスデューサーに連結された少なくとも１つの稀土類永久磁石、およびこのトランスデューサーに電気的に接続され、選択された波操形音周波数で電気的信号を生成する中央演算ユニット（「ＣＰＵ」）を備える。
【００１０】
本発明はまた、種々の損傷および／または疾患状態を処置するための装置を提供し、強力磁場と同時に波操形振動を生成し得、そして影響された身体部分（患部）の皮膚と直接接触またはその上に位置決め可能なワンド様デバイスを備える。
【００１１】
有利には、本発明は、身体の任意の部分に適用され得、磁気治療と組み合わせて波操形周波数の調節可能な範囲に対応する振動を提供するハンドヘルドのワンド様アプリケーターを有する携帯治療デバイスを提供する。
【発明を実施するための最良の形態】
【００１２】
本発明のさらなる特徴、利益、および利点は、以下の詳細な説明および添付の図面を見ることから明らかであり、そこでは、同様の参照記号は、同様の要素に言及している。
【００１３】
（発明の詳細な説明）
添付の図面と組み合わせた以下に提示される詳細な説明は、本発明の現在の好ましい実施形態の説明として意図され、そして本発明が構築され、および／または利用され得る唯一の形態を表すことは意図されない。この説明は、例示の目的、そして制限ではない目的のために説明される実施形態と組み合わせて、本発明の構築および操作のための工程の機能およびシークエンスを提示する。しかし、同じ、または等価な機能およびシークエンスが、本発明の思想および範囲内に包含されることがまた意図され、しかもその特定の価値および評価がそれから逸脱することなく変動され得る異なる実施形態により達成され得ることが理解されるべきである。
【００１４】
これらの図面は、本発明の磁気−波操形治療デバイスの異なる図を示す。本発明は、筋肉骨格損傷、リウマチ関節症状、腰痛、および手根管症候群のような広範な種類の疾患症状に適用可能である。
【００１５】
本発明は、本発明の治療装置を、皮膚と直接接触して、または影響された身体部分の上の皮膚の上に直接位置決めすることにより疾患症状を処置することを提供する。好ましい実施形態では、図１および２を参照して、適用表面（３）は、ワンドハウジング（９）に適合するワンド様アプリケーター（４）上にマウントされ、そしてこの適用表面（３）と処置されるべき身体部分の輪郭（示さず）との間の最大接触を可能にする異なる形状で提供される。ワンド様アプリケーター（４）の異なる形状およびサイズが可能であり、身体の異なる部分をより良好に収容し、例えば、顔面のより小さな筋肉を処置するためのより小さなワンドおよびアプリケーターヘッドである。ワンドハウジング（９）は、アプリケーターを保持するための簡便な機能を提供し、そして審美目的のために機能する。このアプリケーター−ワンドハウジング（９）およびアプリケーターワンド（４）は、非磁性材料から構築される。好ましい実施形態では、磁場は、アプリケーターワンド（４）の適用表面（３）に近接し、この表面の中心にある、少なくとも１つの強力な永久磁石（７）によって生成される。この提供される磁場は、ガウスメーターによって磁石表面で測定されるとき、３００〜３０００ガウスの範囲内、好ましくは３０００ガウスの磁気強度を有する。この磁場は、ネオジム（Ｎｄ）、サマリウムコバルト、フェライト、またはアルニコのような材料から選択される強力な永久磁石によって生成される。ネオジムが、それは最も強力な磁気材料を提供するので好ましい。永久磁石の代わりに電気コイルが用いられ得、振動電磁場を生成し；可変強度の磁場を生成するための能力をさらに提供する。しかし、強力永久磁石に匹敵する強度の磁場を生成するために必要な電流のレベルは実際的ではない。なぜなら、必要なワイヤのサイズおよび巻きの数は、トランスデューサー機構の操作に逆に影響し得るからである。好ましい実施形態では、所定の波操形周波数で同時に振動する。
【００１６】
この波操形周波数は、中央演算ユニット（２）によって音響周波数で生成された電気的信号から生成され、そしてアプリケーター−ワンド（４）内に含まれるトランスデューサー（６）に伝達される。トランスデューサー（６）は、この電気的信号を、選択可能な音波（波操形）周波数に従って適用表面（３）を振動させる機械的振動に変換し、そしてそれによって、上記アプリケーター−ワンドが身体の特定領域と直接接触して適用されるとき、波操形処置を提供する。この波操形周波数は、好ましくは、事前にセットされる。処置の別の様式は、皮膚に直接接触することなく、処置されるべき身体部分の上にアプリケーター−ワンド（４）を適用することを含む。上記アプリケーター−ワンド（４）から出て、かつ上記トランスデューサーにより生成される周波数で振動する磁場は、組織を貫通し、そして身体に装置を接触する必要なくして処置されている組織の電磁周波数での誘導による磁気治療と組み合わせて波操形治療を送達する。そのように送達されるこの磁気−波操形治療の強度は、上記アプリケーター−ワンドが皮膚の上に保持される距離を変動することにより変動され得る。
【００１７】
強力磁場の波操形振動との同時付与は、下にある組織に、アプリケーター−ワンド単独の機械的波操形振動、または磁場単独が生成し得ないさらなる刺激を生成する。
【００１８】
上記適用表面（３）は平滑かつ可撓性である。
【００１９】
上記磁石（７）は、上記トランスデューサーに、上記適用表面（３）が実際に近接できる限り近く固定して連結される。
【００２０】
このデバイスは、上記ワンド様アプリケーター（４）上のスイッチ（５）によってオンまたはオフされ得る。
【００２１】
上記ワンド様アプリケーターは、電気ケーブル（１）により中央演算ユニット（２）に柔軟に連結される。
【００２２】
このような磁気治療性質を増大するために、上記アプリケーター−ワンドは、影響された身体部分の上を種々のパターンで移動され得る。
【００２３】
これによって磁気および波操形治療の両者が同時に提供される２倍の治療アプローチを提供することにより、本発明は、両者の方法または処置養生法の適用によって、より良好な組織治療が提供され得る手段を提供する。磁気治療および波操形治療の両方の同時適用で提供される特定の相乗的効果が存在し得る。
【図面の簡単な説明】
【００２４】
【図１】図１は、本発明の好ましい実施形態による装置の斜視図である。
【図２】図２は、図１の線Ａ−Ａに沿ってとった断面図である。
【図３】図３は、ワンドハウジングに静止した図１のワンド様アプリケーターの側面図である。
【図４】図４は、図３の平面図である。
【図１】
2006513762.tif 000003
【図２】
2006513762.tif 000004
【図３】
2006513762.tif 000005
【図４】
2006513762.tif 000006
【手続補正書】
【提出日】平成18年1月23日(2006.1.23)
【手続補正１】
【補正対象書類名】特許請求の範囲
【補正対象項目名】全文
【補正方法】変更
【補正の内容】
【特許請求の範囲】
【請求項１】
磁気治療および波操形治療の両方を提供するためのデバイスであって：
磁場を提供する磁石；および
種々の選択可能な音周波数で電気的信号を提供する中央演算ユニット；および
該電気的信号を該周波数で機械的振動に変換する、該中央演算ユニットに連結されたトランスデューサーを備え；そして
該トランスデューサーが該磁石に連結され；それによって、該磁石が処置されるべき組織に近接して配置され、そして該トランスデューサーによって振動されるとき、磁気治療と波操形治療の同時付与が生じる、デバイス。
【請求項２】
ワンド様アプリケーターをさらに備え、前記磁石および前記トランスデューサーが前記アプリケーター中に収容される、請求項１に記載のデバイス。
【請求項３】
前記ワンド様アプリケーターが、非磁性材料を含む、請求項２に記載のデバイス。
【請求項４】
前記デバイスが携帯可能である、請求項３に記載のデバイス。
【請求項５】
磁気治療および波操形治療の両方を提供するための携帯デバイスであって：
第１の側面および端部、該第１の側面上の開口および該端部にあるより小さな開口を有するプラスチックケーシング；
選択可能な音周波数で電気的信号を提供する中央演算ユニット；
該電気的信号に応答し、かつ該周波数で機械的振動を生成し、該プラスチックケーシング内に収容され、かつ該中央演算ユニットに柔軟に連結されるトランスデューサー；
該トランスデューサーと該プラスチックケーシングの第１の側面上の開口との間に永久的に位置決めされている強力磁性磁石；
該開口に近接して配置され、そして該磁石と接触する適用表面を備え：
それによって、該トランスデューサーによって生成された機械的振動が、該周波数で該磁石および適用表面を振動させる、デバイス。
【請求項６】
前記適用表面が可撓性である、請求項５に記載のデバイス。
【請求項７】
前記磁石が、ネオジム、サマリウムコバルト、フェライト、アルニコおよびそれらの組み合わせからなる群から選択される、請求項６に記載のデバイス。
【請求項８】
前記プラスチックケーシングが、処置されるべき選択された身体部分に対応する輪郭形状をさらに備える、請求項６に記載のデバイス。
【請求項９】
哺乳動物の身体部分に磁気−波操形治療を行うためのシステムであって；処置されるべき身体部分に近接して磁石を位置決めし、そして該位置決めされた磁石を第１の周波数で有効な時間振動するための手段；および該第１の周波数で機械的に振動される第１の周波数で該位置決めされた磁石を振動し、磁気治療および波操形治療の同時適用を提供するための手段を備える、システム。
【請求項１０】
前記哺乳動物がヒトである、請求項９に記載のシステム。
【請求項１１】
前記磁石を振動するための手段が、複数の波操形周波数に対応する複数の電気的信号出力を有する中央演算ユニットおよびトランスデューサー、該中央演算ユニットを、前記電気的信号を前記波操形周波数で機械的振動に変換し得るトランスデューサーに連結するための手段、該トランスデューサーを該磁石に連結するための手段、ならびに該電気的信号の出力の選択された１つを選択し、そしてそれによって、該選択された電気的信号に対応する周波数で該磁石を振動するための手段をさらに備える、請求項９に記載のシステム。
【請求項１２】
前記磁石および前記トランスデューサーを、ワンド様アプリケーターに収容するための手段さらに備える、請求項９に記載のシステム。
【請求項１３】
前記ワンド様アプリケーターが開口を有し、そして前記磁石に緊密に隣接する可撓性適用表面が該開口の上に配置されている、請求項１２に記載のシステム。
【請求項１４】
前記適用表面を、前記身体部分の皮膚と接触して配置するための手段をさらに備える、請求項１３に記載のシステム。
【国際調査報告】
2006513762.tif 000007
2006513762.tif 000008
2006513762.tif 000009
2006513762.tif 000010